(57)【要約】【課題】  接続コードの取扱いを容易にして手技の容易化、短時間化を図ることができる内視鏡処置システムを提供すること。【解決手段】  内視鏡処置システム１は、挿入部２と操作部３とを連通するチャンネル５を有する内視鏡６と、高周波電力（所定のエネルギー）が供給されて処置を行う鉗子先端部（処置具先端部）７を有してチャンネル５に挿通される高周波鉗子（エネルギー処置具）８と、鉗子先端部７に高周波電力を供給する高周波電源（エネルギー源）１０と、一部が内視鏡６の内部に配され、一端１３ａが内視鏡６のユニバーサルコード１１を介して高周波電源１０に接続され、他端１３ｂが内視鏡側接点１２として内視鏡６の操作部３から突出されて、高周波鉗子８と接続されて高周波電源１０から供給された高周波電力を高周波鉗子８に伝達する電力供給コード（伝達手段）１３とを備えている。【選択図】  図１
2005342082.tif 000002
【特許請求の範囲】
【請求項１】
チャンネルを有する内視鏡と、
所定のエネルギーが供給されて処置を行う処置具先端部を有して前記チャンネルに挿通されるエネルギー処置具と、
前記処置具先端部に前記エネルギーを供給するエネルギー源と、
少なくとも一部が前記内視鏡の内部に配され、一端が前記エネルギー源に接続され、他端が内視鏡側接点として前記内視鏡から突出されて、前記エネルギー処置具と接続されて前記エネルギー源から供給された前記エネルギーを前記エネルギー処置具に伝達する伝達手段とを備えていることを特徴とする内視鏡処置システム。
【請求項２】
前記内視鏡側接点が、前記エネルギーの種別毎に配されていることを特徴とする請求項１に記載の内視鏡処置システム。
【請求項３】
前記伝達手段の一端が、一つの筐体に配されていることを特徴とする請求項２に記載の内視鏡処置システム。
【発明の詳細な説明】
【技術分野】
【０００１】
本発明は、内視鏡用処置システムに関する。
【背景技術】
【０００２】
内視鏡の挿通用のチャンネルを通して経内視鏡的に体腔内に挿入される高周波スネア等の内視鏡用処置具を用いた電気手術装置として、処置具先端部に高周波電源から高周波電流を供給して所定の処置を行うものが知られている（例えば、特許文献１参照。）。
【特許文献１】特開２００１−２７６０８９号公報
【発明の開示】
【発明が解決しようとする課題】
【０００３】
しかしながら、上記従来の技術では、高周波電源から延びる接続コードと処置具とを接続して使用するので、処置を行う際、接続コードを床に配して処置具に接続する必要があり、手技に時間がかかるとともに接続コードが邪魔になっている。
本発明は上記事情に鑑みて成されたものであり、接続コードの取扱いを容易にして手技の容易化、短時間化を図ることができる内視鏡処置システムを提供することを目的とする。
【課題を解決するための手段】
【０００４】
本発明は、上記課題を解決するため、以下の手段を採用する。
本発明に係る内視鏡処置システムは、チャンネルを有する内視鏡と、所定のエネルギーが供給されて処置を行う処置具先端部を有して前記チャンネルに挿通されるエネルギー処置具と、前記処置具先端部に前記エネルギーを供給するエネルギー源と、少なくとも一部が前記内視鏡の内部に配され、一端が前記エネルギー源に接続され、他端が内視鏡側接点として前記内視鏡から突出されて、前記エネルギー処置具と接続されて前記エネルギー源から供給された前記エネルギーを前記エネルギー処置具に伝達する伝達手段とを備えていることを特徴とする。
【０００５】
この内視鏡処置システムは、エネルギーの伝達手段が内視鏡内に配された状態で内視鏡側接点が内視鏡から突出して配されているので、エネルギー処置具をチャンネルに挿通する際に、伝達手段を内視鏡周辺に配する必要がなく、内視鏡を操作する術者が手元側で内視鏡側接点と容易に接続することができる。
【０００６】
また、本発明に係る内視鏡処置システムは、前記内視鏡処置システムであって、前記内視鏡側接点が、前記エネルギーの種別毎に配されていることを特徴とする。
この内視鏡処置システムは、必要なエネルギー毎に内視鏡側接点を選択して所望のエネルギーをエネルギー処置具に供給することができる。
【０００７】
また、本発明に係る内視鏡処置システムは、前記内視鏡処置システムであって、前記伝達手段の一端が、一つの筐体に配されていることを特徴とする。
この内視鏡用処置具は、伝達手段とエネルギー源との接続を１回の操作で行うことができ、手技を容易に、かつ、短時間に行うことができる。
【発明の効果】
【０００８】
本発明によれば、処置を行う際に、伝達手段が手技の邪魔になることが抑えられ、内視鏡の操作性を高めることができる。
【発明を実施するための最良の形態】
【０００９】
本発明に係る第１の実施形態について、図１及び図２を参照して説明する。
本実施形態に係る内視鏡処置システム１は、可撓性を有する挿入部２と、挿入部２の基端に配されて挿入部２の操作を行う操作部３と、挿入部２と操作部３とを連通するチャンネル５とを有する内視鏡６と、高周波電力（所定のエネルギー）が供給されて処置を行う鉗子先端部（処置具先端部）７を有してチャンネル５に挿通される高周波鉗子（エネルギー処置具）８と、鉗子先端部７に高周波電力を供給する高周波電源（エネルギー源）１０と、一部が内視鏡６の内部に配され、一端１３ａが内視鏡６のユニバーサルコード１１を介して高周波電源１０に接続され、他端１３ｂが内視鏡側接点１２として内視鏡６の操作部３から突出されて、高周波鉗子８と接続されて高周波電源１０から供給された高周波電力を高周波鉗子８に伝達する電力供給コード（伝達手段）１３とを備えている。
【００１０】
高周波鉗子８は、先端に鉗子先端部７が配された鉗子挿入部１５と、鉗子挿入部１５の基端に接続されて鉗子先端部７を開閉操作する鉗子操作部１６とを備えている。
鉗子挿入部１５は、表面が絶縁被覆されたシース管１７と、シース管１７内を進退可能に配された導電性の操作ワイヤ１８とを備えている。
【００１１】
鉗子操作部１６は、軸状に形成された操作本体２０と、操作ワイヤ１８の基端が接続されて操作本体２０上を進退自在に配されたスライダ部２１とを備えている。スライダ部２１には、内視鏡側接点１２が接続可能な鉗子側接点２２が配されている。鉗子側接点２２は、内視鏡側接点１２の後述する電極部３５内に嵌入可能な凸部２３を備えている。凸部２３は、操作ワイヤ１８と電気的に接続されている。
鉗子先端部７は、一対の鉗子片２５、２６と、操作ワイヤ１８の先端に接続され、操作ワイヤ１８から伝達される進退方向の力を鉗子片２５、２６の開閉力に変換するリンク機構２７と、一対の鉗子片２５、２６を支持するとともに、リンク機構２７を収納してシース管１７の先端に接続された先端カバー２８とを備えている。
【００１２】
電力供給コード１３は、内視鏡６を制御するシステム本体３１を介して高周波電源１０と接続されており、導電性の図示しない電線部と、電線部の表面を覆う絶縁被覆３２とを備えている。電力供給コード１３の他端１３ｂ側は操作部３の外部に突出されており、内視鏡側接点１２は、円筒状に形成された絶縁管３３と、絶縁管３３の内表面に露出して配され電線部の基端に接続された電極部３５とを備えている。電力供給コード１３の操作部３から突出した部分の長さは、高周波鉗子８を内視鏡６に配された鉗子口３６に装着した際に、内視鏡側接点１２を鉗子側接点２２に接続可能な長さとされている。
【００１３】
次に、本実施形態に係る内視鏡処置システム１の操作方法、及び、作用・効果について説明する。
まず、内視鏡６のユニバーサルコード１１を高周波電源１０と接続されたシステム本体３１の所定の位置に接続する。そして、高周波電源１０と接続された図示しない電極板を患者に装着する。
続いて、内視鏡６の挿入部２を体腔内に挿入し、先端を患部まで接近させる。
処置を行う際には、高周波鉗子８を鉗子口３６からチャンネル５内に挿入し、鉗子先端部７をチャンネル５先端から所定の長さで突出させる。そして、電極部３５に凸部２３を嵌入して電力供給コード１３の内視鏡側接点１２を鉗子操作部１６の鉗子側接点２２に接続する。  
【００１４】
この状態で、スライダ部２１を操作本体２０に対して軸方向に先端側に前進移動する。これによって、操作ワイヤ１８をシース管１７に対して前進移動させ、リンク機構２７に伝達して鉗子片２５、２６を開く。
患部を把持する際には、スライダ部２１を操作本体２０の基端側に移動する。これによって、操作ワイヤ１８をシース管１７に対して後退移動させ、リンク機構２７に伝達して鉗子片２５、２６を閉じて、患部と一対の鉗子片２５、２６とを接触させる。
【００１５】
一方、把持の際に、高周波電源１０から高周波電力を供給する。
このとき、高周波電力が印加されることによって内視鏡側接点１２と鉗子側接点２２とに高周波電流が通電され、一対の鉗子片２５、２６と電極板との間に患部を介して高周波電流が流れる。そして、一対の鉗子片２５、２６近傍の高い電流密度にともない発生する熱によって患部が焼灼される。こうして、所定の処置を終了する。
【００１６】
この内視鏡処置システム１によれば、電力供給コード１３の他端１３ｂ側以外の部分が内視鏡６内に配された状態とされ、内視鏡側接点１２が内視鏡６の操作部３から突出して配されているので、電力供給コード１３を高周波鉗子８と接続する際、従来のように接続コードを内視鏡６の周辺に配置する必要がなく、内視鏡側接点１２と容易に手元側で接続することができる。したがって、処置を行う際に、手技の邪魔になることが抑えられ、内視鏡６の操作性を高めることができる。
この際、電力供給コード１３の内視鏡６から突出した部分が絶縁被覆３２で覆われ、さらに、内視鏡側接点１２の電極部３５の外表面が絶縁管３３によって覆われているので、内視鏡側接点１２を掴んでも、直接電極部３５に触れることなく着脱操作を行うことができる。
【００１７】
次に、第２の実施形態について図３を参照しながら説明する。
なお、上述した第１の実施形態と同様の構成要素には同一符号を付すとともに説明を省略する。
第２の実施形態と第１の実施形態との異なる点は、本実施形態に係る内視鏡処置システム４０の内視鏡４１から突出された内視鏡側接点４２、４３、４５、４６が、処置具に供給するエネルギーの種別毎に複数配されているとした点である。
【００１８】
内視鏡側接点４２は、例えば、第１の実施形態に係る高周波鉗子８のようなモノポーラ型処置具との接点として、システム本体３１を介して高周波電源１０Ａと接続された電力供給コード４７の先端に配されている。また、内視鏡側接点４３は、例えば、バイポーラ型高周波鉗子との接点として、絶縁管３３内に図示しない二つの電極部が配された状態で、システム本体３１を介して高周波電源１０Ｂと接続された電力供給コード４８の先端に配されている。
【００１９】
さらに、内視鏡側接点４５は、例えば、他のヒータ等による電熱を利用した処置具との接点として、同様に絶縁管３３内に二つの電極部が配された状態で、システム本体３１を介して高周波電源１０Ｃと接続された電力供給コード５０の先端に配されている。また、内視鏡側接点４６は、例えば、特開２００１−６１８５３号公報に記載の超音波を駆動手段とする処置具との接点として、超音波ジェネレータ（エネルギー源）５１に接続されたガイド部材（伝達手段）５２の先端側に配されている。
【００２０】
次に、本実施形態に係る内視鏡処置システム４０の操作方法、及び、作用・効果について説明する。
本実施形態の場合も第１の実施形態と同様の操作方法によって、同様の作用・効果を得ることができる。
特に、供給するエネルギーの種別に対応して複数の内視鏡側接点４２、４３、４５、４６を備えているので、異なる処置具を用いて複数の処置を行う際、各処置具が必要なエネルギー毎に最適な形態の内視鏡側接点を選択して装着することができ、所望のエネルギーを該当する処置具に供給することができる。
【００２１】
次に、第３の実施形態について図４を参照しながら説明する。
なお、上述した他の実施形態と同様の構成要素には同一符号を付すとともに説明を省略する。
第３の実施形態と第２の実施形態との異なる点は、本実施形態に係る内視鏡処置システム５５の内視鏡５６に配された電力供給コード４７、４８、５０、及びガイド部材５２の各一端４７ａ、４８ａ、５０ａ、５２ａが、第１のコネクタボックス（筐体）５７内に配されてユニバーサルコード５８に接続されているとした点である。
第１のコネクタボックス５７は、システム本体３１からの配線類が一まとめにして配された第２のコネクタボックス６０と着脱可能とされている。
【００２２】
この内視鏡処置システム５５も、上記実施形態と同様の作用・効果を得ることができる。また、電力供給コード４７、４８、５０、及びガイド部材５２の各一端４７ａ、４８ａ、５０ａ、５２ａが、第１のコネクタボックス５７内に一つに配されているので、電力供給コード４７、４８、５０、及び、ガイド部材５２と高周波電源１０Ａ、１０Ｂ、１０Ｃ、及び、超音波ジェネレータ５１との接続を１回の操作で行うことができ、それぞれを一つずつシステム本体３１側に接続する手間を省くことができ、手技を容易に、かつ、短時間に行うことができる。
【００２３】
なお、本発明の技術範囲は上記実施の形態に限定されるものではなく、本発明の趣旨を逸脱しない範囲において種々の変更を加えることが可能である。
例えば、高周波鉗子６１の鉗子側接点２２を、図５に示すように、シース管の途中に配しても構わない。この場合も、内視鏡側接点１２と鉗子側接点２２とを接続することによって、上記第１の実施形態と同様の作用・効果を得ることができる。
【００２４】
また、内視鏡処置システムの内視鏡側接点を第３の実施形態における第１のコネクタボックス５７のように一体にして配しても構わない。この場合、他端側も一端側のように一体にまとめることができ、操作の際にバラバラになって邪魔になるのを抑えることができる。
【図面の簡単な説明】
【００２５】
【図１】本発明の第１の実施形態に係る内視鏡処置システムを示す側面図である。
【図２】本発明の第１の実施形態に係る内視鏡処置システムの高周波鉗子の要部を示す断面図である。
【図３】本発明の第２の実施形態に係る内視鏡処置システムを示す側面図である。
【図４】本発明の第１の実施形態に係る内視鏡処置システムの要部を示す側面図である。
【図５】本発明の他の実施形態に係る内視鏡処置システムを示す側面図である。
【符号の説明】
【００２６】
１、４０、５５  内視鏡処置システム
５  チャンネル
６、４１、５６  内視鏡
７  鉗子先端部（処置具先端部）
８、６１  高周波鉗子（エネルギー処置具）
１０、１０Ａ、１０Ｂ、１０Ｃ  高周波電源（エネルギー源）
１２、４２、４３、４５、４６  内視鏡側接点
１３、４７、４８、５０  電力供給コード（伝達手段）
１３ａ、４７ａ、４８ａ、５０ａ  一端
５１  超音波ジェネレータ（エネルギー源）
５２  ガイド部材（伝達手段）
５７  第１のコネクタボックス（筐体）
【図１】
2005342082.tif 000003
【図２】
2005342082.tif 000004
【図３】
2005342082.tif 000005
【図４】
2005342082.tif 000006
【図５】
2005342082.tif 000007